(57)【要約】【課題】消費電力を低減させることができる制御装置および便座装置を提供すること。【解決手段】実施形態に係る制御装置は、制御部と、第１電源回路と、第２電源回路とを備える。第１電源回路は、機器へ供給される第１電圧を出力する。第２電源回路は、第１電源回路から出力された第１電圧が入力されるとともに、入力された第１電圧に基づいて制御部へ供給される第２電圧を生成して出力する。制御部は、制御装置の動作状態に基づいて第２電源回路から出力される第２電圧を変更する。【選択図】図１
2019166158.tif 000002
【特許請求の範囲】
【請求項１】
制御部を備えた制御装置であって、
機器へ供給される第１電圧を出力する第１電源回路と、
前記第１電源回路から出力された前記第１電圧が入力されるとともに、入力された前記第１電圧に基づいて前記制御部へ供給される第２電圧を生成して出力する第２電源回路と
を備え、
前記制御部は、
前記制御装置の動作状態に基づいて前記第２電源回路から出力される前記第２電圧を変更すること
を特徴とする制御装置。
【請求項２】
前記第２電源回路は、
出力端子と接地端子との間に設けられる分圧抵抗
を含み、
前記制御部は、
前記分圧抵抗の抵抗比を変更する制御を行うことで、前記第２電源回路から出力される前記第２電圧を変更すること
を特徴とする請求項１に記載の制御装置。
【請求項３】
前記第１電源回路は、
ＡＣ／ＤＣコンバータを含み、
前記第２電源回路は、
ＤＣ／ＤＣコンバータを含むこと
を特徴とする請求項１または２に記載の制御装置。
【請求項４】
前記制御部は、
前記制御装置の前記動作状態を、通常の動作状態を示す通常状態と前記通常状態の前の待機状態との間で切り替えるとともに、前記動作状態を前記待機状態に切り替えた場合、前記第２電源回路から出力される前記第２電圧を、前記通常状態のときの前記第２電圧より低い電圧となるように変更すること
を特徴とする請求項１〜３のいずれか一つに記載の制御装置。
【請求項５】
請求項４に記載の制御装置と、
人体を検知する人体検知部と
を備え、
前記制御部は、
前記人体検知部によって人体が検知された場合、前記制御装置の前記動作状態を前記通常状態にする一方、人体が検知されない場合、前記動作状態を前記通常状態から前記待機状態へ切り替えること
を特徴とする便座装置。
【発明の詳細な説明】
【技術分野】
【０００１】
開示の実施形態は、制御装置および便座装置に関する。
【背景技術】
【０００２】
従来、例えば機器における消費電力を低減させる技術が種々提案されている（例えば特許文献１参照）。従来技術にあっては、機器に対してデバイスが着脱可能に構成され、かかるデバイスの接続の有無に応じて、生成する電源電圧を、規定電圧と規定電圧より低い電圧とで切り替えることで、消費電力の低減を図っている。
【０００３】
上記した消費電力の低減は、例えば、便器の上面に取り付けられ、便座に座った人の局部の洗浄などを行う便座装置に対しても求められている。
【先行技術文献】
【特許文献】
【０００４】
【特許文献１】特開２０１６−２０８６００号公報
【発明の概要】
【発明が解決しようとする課題】
【０００５】
そこで、便座装置の制御装置においては、消費電力を低減させるため、例えばトイレ室に人がいない、あるいは便座装置が利用されていないときなどに、モータや、モータ等を制御する制御部（例えばマイコン）などの電気部品への電圧の供給を遮断（ＯＦＦ）する制御を行う場合がある。
【０００６】
しかしながら、制御部は、例えば洗浄水や便座を所定の温度に保つため、洗浄水等の温度を検出するセンサを定期的に監視する必要があり、よって電気部品には遮断後も間欠的に電圧が供給されていた。そのため、例えば制御部による監視回数が多い場合などは、消費電力が低減しにくく、改善の余地があった。
【０００７】
実施形態の一態様は、消費電力を低減させることができる制御装置および便座装置を提供することを目的とする。
【課題を解決するための手段】
【０００８】
実施形態の一態様においては、制御部を備えた制御装置であって、機器へ供給される第１電圧を出力する第１電源回路と、前記第１電源回路から出力された前記第１電圧が入力されるとともに、入力された前記第１電圧に基づいて前記制御部へ供給される第２電圧を生成して出力する第２電源回路とを備え、前記制御部は、前記制御装置の動作状態に基づいて前記第２電源回路から出力される前記第２電圧を変更することを特徴とする。
【０００９】
これにより、例えば制御装置の動作状態が待機状態である場合、第２電源回路から出力される第２電圧を変更することが可能となる。詳しくは、制御装置の動作状態が待機状態である場合、監視等を行う制御部が動作できればよいため、制御部は、第２電源回路から出力される第２電圧を低い値に変更することが可能となり、これにより消費電力を低減させることができる。
【００１０】
また、前記第２電源回路は、出力端子と接地端子との間に設けられる分圧抵抗を含み、前記制御部は、前記分圧抵抗の抵抗比を変更する制御を行うことで、前記第２電源回路から出力される前記第２電圧を変更することを特徴とする。
【００１１】
これにより、簡易な構成で、第２電源回路から出力される第２電圧を変更することができ、よって消費電力を低減させることができる。
【００１２】
また、前記第１電源回路は、ＡＣ／ＤＣコンバータを含み、前記第２電源回路は、ＤＣ／ＤＣコンバータを含むことを特徴とする。
【００１３】
これにより、第１電源回路は機器へ確実に第１電圧を供給できるとともに、第２電源回路は制御部へ確実に第２電圧を供給することができる。
【００１４】
また、前記制御部は、前記制御装置の前記動作状態を、通常の動作状態を示す通常状態と前記通常状態の前の待機状態との間で切り替えるとともに、前記動作状態を前記待機状態に切り替えた場合、前記第２電源回路から出力される前記第２電圧を、前記通常状態のときの前記第２電圧より低い電圧となるように変更することを特徴とする。
【００１５】
これにより、制御装置の動作状態が待機状態のときの消費電力を効果的に低減させることができる。
【００１６】
また、実施形態の一態様に係る便座装置は、上述した制御装置と、人体を検知する人体検知部とを備え、前記制御部は、前記人体検知部によって人体が検知された場合、前記制御装置の前記動作状態を前記通常状態にする一方、人体が検知されない場合、前記動作状態を前記通常状態から前記待機状態へ切り替えることを特徴とする。
【００１７】
これにより、制御装置を備える便座装置にあっては、人体が検知されない適切なタイミングで、制御装置の動作状態を通常状態から待機状態へ切り替えることができる。
【発明の効果】
【００１８】
実施形態の一態様によれば、消費電力を低減させることができる。
【図面の簡単な説明】
【００１９】
【図１】図１は、実施形態に係る便座装置の構成の概要を示す図である。
【図２】図２は、制御装置を備えた便座装置の構成例を示すブロック図である。
【図３】図３は、制御装置の制御部が実行する処理手順を示すフローチャートである。
【図４】図４は、変形例に係る制御部が実行する処理手順を示すフローチャートである。
【発明を実施するための形態】
【００２０】
以下、添付図面を参照して、本願の開示する制御装置および便座装置の実施形態を詳細に説明する。なお、以下に示す実施形態によりこの発明が限定されるものではない。
【００２１】
＜１．便座装置の構成の概要＞
以下では先ず、実施形態に係る制御装置を備えた便座装置の構成の概要について図１を参照して説明する。図１は、実施形態に係る便座装置の構成の概要を示す図である。なお、図１を含む各図面では、説明に必要な構成要素のみを示しており、一般的な構成要素についての記載を省略する場合がある。
【００２２】
図１に示すように、便座装置１は、商用の交流電源Ａに接続され、交流電源Ａから交流電圧が供給される。便座装置１は、制御装置２と、モータ５１と、負荷７０などを備える。
【００２３】
なお、図示は省略するが、便座装置１は、便器の上面に設置され、洗浄ノズルから洗浄水を使用者の身体へ噴出して局部を洗浄する、いわゆる衛生洗浄機能を有する。かかる洗浄水は、例えばヒータ８０（図２参照）によって適温に温められてもよい。
【００２４】
また、上記では、便座装置１は、衛生洗浄機能を有するようにしたが、これに限られず、衛生洗浄機能に代えて、あるいは加えて、便座の着座面を適温に温める便座暖房機能や、便座に座った使用者のおしりなどに温風を吹き付けて乾燥させる乾燥機能などを有していてもよい。
【００２５】
制御装置２は、第１電源回路１０と、第２電源回路２０と、制御部４０とを備える。第１電源回路１０の出力側には、上記したモータ５１が接続される。モータ５１には、例えば、洗浄ノズルを作動させるモータや、温風ファンを作動させるモータなどが含まれるが、これらに限定されるものではない。
【００２６】
なお、モータ５１は、機器の一例である。また、第１電源回路１０の出力側には、モータ５１以外の機器も接続されるが、これについては図２を参照して説明する。
【００２７】
第１電源回路１０は、モータ５１へ供給される第１電圧を出力する（ステップＳ１）。具体的には、第１電源回路１０は、ＡＣ／ＤＣコンバータを含み、交流電源Ａから入力される交流電圧を、既定電圧値の直流電圧である第１電圧に変換してモータ５１へ出力する。
【００２８】
これにより、第１電源回路１０は、モータ５１へ確実に第１電圧を供給できる。そして、モータ５１は、例えば駆動を指示する信号が制御部４０から入力されるときに駆動して、洗浄ノズルなどを作動させることができる。
【００２９】
このように、第１電源回路１０は、モータ５１などの動作電圧として第１電圧を生成する。また、第１電源回路１０は、生成した第１電圧を第２電源回路２０へ出力する。言い換えると、第２電源回路２０には、第１電源回路１０から出力された第１電圧が入力される。
【００３０】
第２電源回路２０の出力側には、制御部４０および負荷７０が接続される。なお、負荷７０は、制御装置２が待機状態（後述）のときに動作する必要がなく、動作電圧が比較的低い電気部品である。かかる負荷７０は、例えば報知ランプ７１（図２参照）などである。第２電源回路２０の出力側には、制御部４０や負荷７０以外の機器も接続されるが、これについては図２を参照して説明する。
【００３１】
第２電源回路２０は、入力された第１電圧に基づいて制御部４０や負荷７０へ供給される第２電圧を生成して出力する（ステップＳ２）。具体的には、第２電源回路２０は、ＤＣ／ＤＣコンバータを含み、直流電圧である第１電圧を、所定電圧値の直流電圧である第２電圧に変換して制御部４０や負荷７０へ出力する。
【００３２】
これにより、第２電源回路２０は、制御部４０や負荷７０へ確実に第２電圧を供給することができる。
【００３３】
ここで、上記したモータ５１、負荷７０および制御部４０の動作電圧について説明する。モータ５１、負荷７０および制御部４０などの電気部品において、必要な動作電圧は、電気部品ごとに異なる。
【００３４】
例えば、モータ５１の動作電圧は「２４Ｖ」、負荷７０の動作電圧は「５Ｖ」である。また、例えば、マイコンである制御部４０の動作電圧は「３〜５Ｖ」であり、ある程度の幅がある。なお、上記では、理解の便宜のため、電気部品の動作電圧を具体的に示したが、これらはあくまでも例示であって限定されるものではない。
【００３５】
上記した動作電圧のモータ５１が接続される第１電源回路１０は、２４Ｖの第１電圧を生成する。また、負荷７０および制御部４０が接続される第２電源回路２０は、負荷７０および制御部４０の両方に対応する必要があるため、共通する動作電圧である５Ｖの第２電圧を生成することとなる。
【００３６】
ところで、制御装置２は、消費電力を低減させるため、自身の動作状態を切り替えることができる。すなわち、例えば便座装置１が利用されている場合、制御装置２は、動作状態を、通常の動作状態を示す通常状態とする。他方、例えばトイレ室に人がいない、あるいは便座装置が利用されていない場合など、制御装置２は、動作状態を通常状態の前の待機状態とすることができる。
【００３７】
かかる待機状態において、例えば仮に、モータ５１や制御部４０を含む電気部品への電圧の供給を遮断（ＯＦＦ）する制御が行われると、消費電力が低減しにくくなることがあった。すなわち、制御部４０は、例えば洗浄水や便座を所定の温度に保つため、洗浄水等の温度を検出する温度センサ６２（図２参照）を定期的に監視する必要がある。そのため、電気部品には遮断後も間欠的に電圧が供給されることとなり、例えば制御部４０による監視回数が多い場合などは、結果的に消費電力が低減しにくくなることがあった。
【００３８】
そこで、本実施形態に係る制御部４０にあっては、制御装置２の動作状態に基づいて第２電源回路２０から出力される第２電圧を変更するようにした（ステップＳ３）。
【００３９】
詳しくは、制御部４０は、例えば制御装置２の動作状態が待機状態である場合、第２電源回路２０から出力される第２電圧を変更する。より詳しくは、動作状態が待機状態である場合、監視等を行う制御部４０が動作できればよいため、制御部４０は、第２電源回路２０から出力される第２電圧を、負荷７０および制御部４０の両方が動作できる「５Ｖ」から、例えば制御部４０が動作できる「３Ｖ」に変更する。
【００４０】
このように、本実施形態にあっては、制御装置２の動作状態に基づいて第２電源回路２０から出力される第２電圧を変更することで、消費電力を低減させることができる。
【００４１】
＜２．便座装置の全体構成＞
以下、本実施形態に係る制御装置２を備えた便座装置１の全体構成について、図２以降を参照してより具体的に説明する。図２は、制御装置２を備えた便座装置１の構成例を示すブロック図である。
【００４２】
図２に示すように、便座装置１は、上記した制御装置２と、ヒータ８０と、第１電気部品群１００と、第２電気部品群２００と、第３電気部品群３００とを備える。
【００４３】
ヒータ８０は、例えば局部を洗浄する洗浄水を温めるヒータや、便座の着座面を温めるヒータなどを含むが、これらに限定されるものではない。かかるヒータ８０には、交流電源Ａから交流電圧が供給され、例えば制御部４０から駆動を指示する信号が入力されるときに駆動して、洗浄水等を温める。
【００４４】
なお、図２のブロック図においては、図示の簡略化のため、ヒータ８０やモータ５１などを１つのブロックで示しているが、これはヒータ８０やモータ５１が１つであることを示すものではない。すなわち、ヒータ８０やモータ５１は複数あってもよい。
【００４５】
第１電気部品群１００は、第１電源回路１０の出力端子１０ｂに接続されて、第１電源回路１０から第１電圧（例えば２４Ｖ）が供給される電子部品である。第１電気部品群１００には、例えば、モータ５１、電磁弁５２、電解槽５３、ブザー５４などが含まれるが、これらに限定されるものではない。
【００４６】
モータ５１には、上記した洗浄ノズルを作動させるモータや、温風ファンを作動させるモータなどに加えて、あるいは代えてその他のモータが含まれてもよい。すなわち、例えば、モータ５１には、便座や便蓋を開閉するモータ、脱臭ファンを作動させるモータなどが含まれてもよい。
【００４７】
電磁弁５２は、例えば洗浄ノズルに、おしり洗浄用流路やビデ洗浄用流路などが形成される場合に、制御部４０からの信号に応じて洗浄水の流路を切り替える電磁弁であるが、これに限られない。
【００４８】
電解槽５３は、殺菌成分を有する次亜塩素酸を生成する装置である。例えば、電解槽５３は、内部に陽極板および陰極板を備え、制御部４０による通電制御によって、内部を流れる水道水を電気分解する。水道水は、塩素を含んでいるため、かかる塩素の電気化学反応により塩素イオンが生成されて次亜塩素酸を含む液になる。そして、次亜塩素酸を含む液が洗浄ノズルなどから便器のボウル部へ吐出されることで、例えばアンモニアなどによる汚れを除去または分解することができる。
【００４９】
ブザー５４は、例えば、便座装置１において何らかの異常が発生した場合に、制御部４０からの信号に応じて鳴動し、使用者などへ異常の発生を通知する。なお、ブザー５４は、異常発生時以外で鳴動してもよい。
【００５０】
第１電気部品群１００には、制御装置２の動作状態が、通常状態であっても待機状態であっても、第１電源回路１０から第１電圧が供給されることとなるが、第１電気部品群１００の電気部品は、動作していなければ、消費電力は増えにくい、または増えない。
【００５１】
第２電気部品群２００は、第２電源回路２０の出力端子２０ｂに接続されて、第２電源回路２０から第２電圧（例えば５Ｖまたは３Ｖ）が供給される電子部品である。第２電気部品群２００には、例えば、制御部４０、人体検知部６１および温度センサ６２などが含まれるが、これらに限定されるものではない。
【００５２】
制御部４０は、ＣＰＵ（Central  Processing  Unit）、ＲＡＭ（Random  Access  Memory）、ＲＯＭ（Read  Only  Memory）などを有するマイクロコンピュータ（マイコン）である。かかるマイクロコンピュータのＣＰＵは、ＲＯＭに記憶されているプログラムを読み出して実行することにより、便座装置１の動作を制御する。  
【００５３】
人体検知部６１は、トイレ室にいる人や便座装置１を利用している人などの、人体を検知するセンサである。人体検知部６１としては、例えば、投受光式の距離センサや、便座に着座した使用者の荷重で人体を検知する着座センサなどを用いることができるが、これに限定されるものではない。人体検知部６１は、人体を検知したか否かを示す信号を制御部４０へ出力する。
【００５４】
温度センサ６２には、洗浄水の温度を検出するセンサや、便座の温度を検出するセンサなどが含まれるが、これらに限定されるものではない。温度センサ６２は、検出された洗浄水や便座の温度を示す信号を制御部４０へ出力する。
【００５５】
なお、温度センサ６２としては、例えばサーミスタを用いることができる。温度センサ６２にサーミスタを用いた場合、制御装置２の動作状態が待機状態のときに、供給される第２電圧が「５Ｖ」から「３Ｖ」に低下すると、その分だけ温度センサ６２における消費電力を低減させることができる。
【００５６】
第２電気部品群２００には、制御装置２の動作状態が待機状態の場合であっても、動作することがある、あるいは、動作する必要がある電子部品が含まれる。従って、制御装置２の動作状態が待機状態のときの第２電圧は、第２電気部品群２００の電子部品が動作できる動作電圧（例えば３Ｖ）に設定されるが、これに限られない。
【００５７】
第３電気部品群３００は、第２電気部品群２００と同様、第２電源回路２０の出力端子２０ｂに接続されて、第２電源回路２０から第２電圧（例えば５Ｖまたは３Ｖ）が供給される電子部品である。
【００５８】
第３電気部品群３００には、上記した負荷７０に相当する電気部品、すなわち、制御装置２が待機状態のときに動作する必要がなく、動作電圧が比較的低い電気部品が含まれる。例えば、第３電気部品群３００には、報知ランプ７１およびモータ７２などが含まれるが、これらに限定されるものではない。
【００５９】
報知ランプ７１は、例えば洗浄水や便座の設定温度の高低、洗浄水の強弱など、使用者に所定の情報を、光を発することで報知する。報知ランプ７１としては、例えばＬＥＤ（Light  Emitting  Diode）ランプを用いることができる。
【００６０】
モータ７２は、例えば便座装置１において、種々の部品を収容するケース内の結露を防止する給気ファンを作動させるモータなどが含まれるが、これに限られない。
【００６１】
第３電気部品群３００には、制御装置２の動作状態が待機状態のときに第２電源回路２０から第２電圧（例えば３Ｖ）が供給されるが、第３電気部品群３００の電気部品は、待機状態のときに動作する必要がないため、消費電力は増えにくい、または増えない。
【００６２】
次に、制御装置２について説明する。制御装置２の第１電源回路１０は、入力端子１０ａに交流電源Ａが接続される一方、出力端子１０ｂに上記した第１電気部品群１００や第２電源回路２０が接続される。
【００６３】
第２電源回路２０は、入力端子２０ａに第１電源回路１０が接続される一方、出力端子２０ｂに上記した第２電気部品群２００や第３電気部品群３００が接続される。
【００６４】
また、第２電源回路２０は、上記したように、制御部４０による制御によって第２電圧を変更することができる。詳しくは、第２電源回路２０は、出力端子２０ｂと接地端子２０ｃとの間に設けられる分圧抵抗３０を含む。
【００６５】
分圧抵抗３０は、例えば、第１〜第３抵抗３１〜３３およびスイッチング素子３４を備える。具体的には、第１抵抗３１および第２抵抗３２は、出力端子２０ｂと接地端子２０ｃとの間に直列に接続される。
【００６６】
第３抵抗３３は、第２抵抗３２と並列に接続される。スイッチング素子３４は、第２抵抗３２と並列に接続されるとともに、第３抵抗３３と直列に接続される。また、スイッチング素子３４としては、トランジスタやＦＥＴ（Field  Effect  Transistor）を用いることができるが、これに限られない。
【００６７】
そして、制御部４０は、スイッチング素子３４を制御して、分圧抵抗３０の抵抗比を変更する制御を行うことで、第２電源回路２０から出力される第２電圧を変更する。
【００６８】
具体的には、第２電源回路２０から出力される第２電圧は、分圧抵抗３０における抵抗比（例えば、第２抵抗３２および第３抵抗３３の合成抵抗に対する第１抵抗３１の比）によって変わる。
【００６９】
例えば、スイッチング素子３４が制御部４０によってＯＮされると、第２、第３抵抗３２，３３の合成抵抗が減少するため、抵抗比が変化し、第２電源回路２０から出力される第２電圧は増加する、すなわち「５Ｖ」となる。他方、スイッチング素子３４が制御部４０によってＯＦＦされると、第２、第３抵抗３２，３３の合成抵抗が増加するため、抵抗比が変化し、第２電源回路２０から出力される第２電圧は減少する、すなわち「３Ｖ」となる。
【００７０】
このように、本実施形態にあっては、第２電源回路２０は分圧抵抗３０を含み、制御部４０が分圧抵抗３０の抵抗比を変更する制御を行うことから、簡易な構成で、第２電源回路２０から出力される第２電圧を変更することができる。
【００７１】
なお、図２に示す分圧抵抗３０の回路は、あくまでも例示であって限定されるものではない。すなわち、分圧抵抗３０の回路は、第２電源回路２０から出力される第２電圧を変更することができれば、どのような回路構成であってもよい。
【００７２】
制御部４０は、例えば、人体検知部６１から出力される信号に基づき、制御装置２の動作状態を、通常状態と待機状態との間で切り替えることができる。詳しくは、制御部４０は、人体検知部６１によって人体が検知された場合、制御装置２の動作状態を通常状態にする。一方、制御部４０は、人体検知部６１によって人体が検知されない場合、制御装置２の動作状態を通常状態から待機状態へ切り替える。
【００７３】
これにより、制御装置２を備える便座装置１にあっては、人体が検知されない適切なタイミングで、動作状態を通常状態から待機状態へ切り替えることができる。
【００７４】
そして、制御部４０は、動作状態を待機状態に切り替えた場合、第２電源回路２０から出力される第２電圧を、通常状態のときの第２電圧（例えば５Ｖ）より低い電圧（例えば３Ｖ）となるように変更する。
【００７５】
これにより、本実施形態にあっては、待機状態のときの消費電力を効果的に低減させることができる。
【００７６】
また、待機状態のときの第２電圧は、第２電気部品群２００に含まれる制御部４０や温度センサ６２が動作できる動作電圧（例えば３Ｖ）に設定されることから、待機状態のときであっても、制御部４０は、例えば洗浄水や便座を所定の温度に保つため、温度センサ６２を監視することができる。
【００７７】
＜３．制御装置の制御処理＞
次に、図３を参照し、制御装置２が実行する処理について説明する。図３は、制御装置２の制御部４０が実行する処理手順を示すフローチャートである。なお、図３においては、第２電源回路２０から出力される第２電圧に関する制御を示している。
【００７８】
図３に示すように、制御部４０は、人体検知部６１によって人体が検知されたか否かを判定する（ステップＳ１０）。制御部４０は、人体検知部６１によって人体が検知されたと判定された場合（ステップＳ１０，Ｙｅｓ)、制御装置２の動作状態は通常状態であり、第２電源回路２０を制御して、通常状態における第２電圧（例えば５Ｖ）を出力する（ステップＳ１１）。
【００７９】
他方、制御部４０は、人体検知部６１によって人体が検知されていないと判定された場合（ステップＳ１０，Ｎｏ）、制御装置２の動作状態は待機状態であり、第２電源回路２０を制御して、待機状態における第２電圧（例えば３Ｖ）を出力する（ステップＳ１２）。
【００８０】
上述してきたように、実施形態に係る制御装置２は、制御部４０と、第１電源回路１０と、第２電源回路２０とを備える。第１電源回路１０は、機器（例えばモータ５１）へ供給される第１電圧を出力する。第２電源回路２０は、第１電源回路１０から出力された第１電圧が入力されるとともに、入力された第１電圧に基づいて制御部４０へ供給される第２電圧を生成して出力する。制御部４０は、制御装置２の動作状態に基づいて第２電源回路２０から出力される第２電圧を変更する。これにより、消費電力を低減させることができる。
【００８１】
また、制御部４０は、待機状態で第２電圧（３Ｖ）が供給されて動作し続けるため、例えば送信時間（区間）が比較的短いリモコン装置からの信号でも、確実に受信することができる。
【００８２】
また、制御部４０は、待機状態で第２電圧（３Ｖ）が供給された状態で、さらに間欠的にＯＮ／ＯＦＦするように構成してもよい。これにより、消費電力をより一層低減させることができる。
【００８３】
＜４．変形例＞
次に、変形例について説明する。なお、以下の説明では、既に説明した部分と同様の部分については、既に説明した部分と同一の符号を付し、重複する説明を省略する。
【００８４】
上記した実施形態において、第２電源回路２０から出力される第２電圧は、動作状態が通常状態のときと、待機状態のときの２種類であったが、これに限定されるものではない。
【００８５】
すなわち、図示は省略するが、例えば、分圧抵抗３０（図２参照）において、第３抵抗３３と並列に抵抗とスイッチング素子をさらに接続するなどの構成とすれば、抵抗比をさらに変更することができるため、第２電源回路２０から出力される第２電圧を３種類以上にすることができる。
【００８６】
従って、変形例に係る第２電源回路２０にあっては、例えば、待機状態における第２電圧（３Ｖ）より低い第２電圧（例えば１．５Ｖ）を出力することができ、これを節電状態における第２電圧とすることが可能となる。
【００８７】
なお、節電状態における第２電圧（例えば１．５Ｖ）が供給される制御部４０は、例えば、温度センサ６２の監視などは行わず、所定のセンサから信号が入力されたときにすぐに起動できるような状態とされるが、これに限られない。
【００８８】
また、制御装置２の動作状態が待機状態から節電状態に切り替わるタイミングは、任意に設定することができる。すなわち、例えば制御部４０がタイマを備え、便座装置１が長時間使用されない場合に、動作状態が待機状態から節電状態に切り替わるようにしてもよい。
【００８９】
図４は、変形例に係る制御部４０が実行する処理手順を示すフローチャートである。
【００９０】
図４に示すように、制御部４０は、人体検知部６１によって人体が検知されていないと判定された場合（ステップＳ１０，Ｎｏ）、制御装置２の動作状態が節電状態に切り替わっているか否かを判定する（ステップＳ１０ａ）。
【００９１】
制御部４０は、動作状態が節電状態に切り替わっていないと判定された場合（ステップＳ１０ａ，Ｎｏ）、動作状態は待機状態であることから、上記したように、第２電源回路２０を制御して待機状態における第２電圧（例えば３Ｖ）を出力する（ステップＳ１２）。
【００９２】
他方、制御部４０は、動作状態が節電状態に切り替わっていると判定された場合（ステップＳ１０ａ，Ｙｅｓ）、第２電源回路２０を制御して節電状態における第２電圧（例えば１．５Ｖ）を出力する（ステップＳ１３）。
【００９３】
これにより、変形例にあっては、制御装置２の動作状態が節電状態であるときの消費電力を低減させることができる。
【００９４】
なお、上記では、第１電源回路１０がＡＣ／ＤＣコンバータ、第２電源回路２０がＤＣ／ＤＣコンバータである場合について説明したが、これに限定されるものではない。すなわち、例えば、第１、第２電源回路１０，２０がともに、ＤＣ／ＤＣコンバータであってもよい。
【００９５】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００９６】
１  便座装置
２  制御装置
１０  第１電源回路
２０  第２電源回路
３０  分圧抵抗
４０  制御部
６１  人体検知部
【図１】
2019166158.tif 000003
【図２】
2019166158.tif 000004
【図３】
2019166158.tif 000005
【図４】
2019166158.tif 000006